(57)【特許請求の範囲】
【請求項１】
第１の部材と、この第１の部材に回転動作可能かつスライド動作可能に支持された第２の部材と、この第２の部材又は前記第１の部材により隠された部位に配設され前記回転動作及びスライド動作の範囲を規定する動作規定機構とを具備してなり、
前記第１の部材が筒状をなす部材本体とこの部材本体に嵌着され軸孔を有したブッシュとを備えたものであり、前記第２の部材が部材本体とこの部材本体に設けられ前記ブッシュの軸孔にスライド動作可能かつ回転動作可能に装着される軸部とを備えたものであり、前記動作規定機構が、前記ブッシュの軸孔に臨むスライド動作用のスリット及び回転動作用のスリットと、このブッシュのスリットに頭部を位置させた状態で前記第２の部材の軸部に突設された突起とを備えたものであり、この動作規定機構が前記第１の部材により隠されていることを特徴とする部材回転スライド支持装置。
【請求項２】
前記第２の部材が有底円筒体状をなす部材本体と、この部材本体の底壁に固設した軸部とを備えたものであり、前記第２の部材の部材本体が前記第１の部材の部材本体の外周に嵌合させてある請求項１記載の部材回転スライド支持装置。
【請求項３】
前記スライド動作用のスリットが、両端が開放されていない状態で前記ブッシュの中間領域に形成されたものであり、前記突起が、前記ブッシュに挿入された軸部に前記スリットを通して取り付けられるものである請求項１または２記載の部材回転スライド支持装置。
【請求項４】
前記スライド動作用のスリットが、少なくとも一端が外方に開放された状態で前記ブッシュに形成されたものであり、前記突起が、前記軸部に取り付けられた状態で前記ブッシュのスライド動作用スリットに挿入されるものである請求項１または２記載の部材回転スライド支持装置。
【発明の詳細な説明】
【技術分野】
【０００１】
本発明は、第１の部材に回転動作可能かつスライド動作可能に支持された第２の部材の回転動作及びスライド動作の範囲を規定する動作部材回転スライド支持装置に関するものである。
【背景技術】
【０００２】
従来、第１の部材として例えば椅子本体と、この椅子本体に少なくとも回転動作可能に支持された第２の部材であるメモ台本体と、前記回転動作の範囲を規定する動作規定機構とを具備してなるものが知られている（例えば、特許文献１を参照）。この椅子は、メモ台本体の少なくとも回転動作を利用して当該メモ台本体を水平な使用姿勢と起立した格納姿勢との間で作動させ得るように構成されている。
【０００３】
このような椅子においては、使用者の体格等に応じて使用姿勢にあるメモ台本体を前後方向にスライド移動させたいという要望がある。ところが、メモ台本体の回転動作に加えてスライド動作も行うことができるようにすると、椅子本体とメモ台本体との間に複雑な構造をなす動作規制機構を備えることが必要となる。そのため、この椅子本体とメモ台本体が配される場所によっては、動作規制機構に手指や衣服を挟んでしまうという不具合の発生が予想される。
【０００４】
このような不具合の発生は、椅子本体とメモ台本体とを備えた椅子の場合には限られず、第１の部材に対して回転動作可能かつスライド動作可能に支持された第２の部材を備えたものであれば、同様に生じ得る。
【先行技術文献】
【特許文献】
【０００５】
【特許文献１】特開平７−１８４７３７号公報
【発明の概要】
【発明が解決しようとする課題】
【０００６】
本発明は、上述した不具合の発生を招くことなく、第２の部材を第１の部材に対して回転動作及びスライド動作可能にしたいという要望を解決できる部材回転支持装置を提供することを目的としている。
【課題を解決するための手段】
【０００７】
本発明は、以上のような課題を解決するために、次のような構成を採用したものである。すなわち、本発明に係る部材回転スライド支持装置は、第１の部材と、この第１の部材に回転動作可能かつスライド動作可能に支持された第２の部材と、この第２の部材又は前記第１の部材により隠された部位に配設され前記回転動作及びスライド動作の範囲を規定する動作規定機構とを具備してなることを特徴とする。
【０００８】
このようなものであれば、動作規定機構がどのような構造のものであろうと、該動作規定機構が第１の部材または第２の部材によって隠されているので、動作規制機構に手指や衣服を挟んでしまうという不具合の発生を招くことなく、第１の部材に対して第２の部材を回転動作可能かつスライド動作可能に支持させることができる。
【０００９】
第１の部材が筒状をなす部材本体とこの部材本体に嵌着され軸孔を有したブッシュとを備えたものであり、第２の部材が部材本体とこの部材本体に設けられ前記ブッシュの軸孔にスライド動作可能かつ回転動作可能に装着される軸部とを備えたものであり、前記動作規定機構が、前記ブッシュの軸孔に臨むスライド動作用のスリット及び回転動作用のスリットと、このブッシュのスリットに頭部を位置させた状態で前記第２の部材の軸部に突設された突起とを備えたものであり、この動作規定機構が前記第１の部材により隠されている。
【００１０】
さらに具体的には、前記第２の部材が有底円筒体状をなす部材本体と、この部材本体の底壁に固設した軸部とを備えたものであり、前記第２の部材の部材本体が第１の部材の部材本体の外周に嵌合させてあるものが好ましい。
【００１１】
好適な一態様としては、前記スライド動作用のスリットが、両端が開放されていない状態で前記ブッシュの中間領域に形成されたものであり、前記突起が、前記ブッシュに挿入された軸部に前記スリットを通して取り付けられるものが挙げられる。
【００１２】
また、好適な他の態様としては、前記スライド動作用のスリットが、少なくとも一端が外方に開放された状態で前記ブッシュに形成されたものであり、前記突起が、前記軸部に取り付けられた状態で前記ブッシュのスライド動作用スリットに挿入されるものが挙げられる。
【発明の効果】
【００１３】
本発明は、以上のような構成であるから、上述した不具合の発生を招くことなく、第２の部材を第１の部材に対して回転動作及びスライド動作可能にしたいという要望を解決できる部材回転支持装置を提供することができる。
【図面の簡単な説明】
【００１４】
【図１】本発明の第１実施形態の椅子の斜視図。
【図２】同実施形態にかかる椅子の正面図。
【図３】同実施形態にかかるメモ台本体を使用姿勢にした椅子の側面図。
【図４】同実施形態にかかる椅子の平面図。
【図５】同実施形態にかかるメモ台本体を起立姿勢にした椅子の側面図。
【図６】同実施形態にかかるメモ台本体を格納姿勢にした椅子の側面図。
【図７】同実施形態にかかる椅子の要部を一部省略して示す図。
【図８】同実施形態にかかる椅子の要部を一部省略して示す図。
【図９】図８におけるＸ−Ｘ線断面で示す作用説明図。
【図１０】図８におけるＸ−Ｘ線断面で示す作用説明図。
【図１１】同実施形態にかかる椅子の要部を示す分解斜視図。
【図１２】同実施形態にかかる椅子のスタッキング方法を示す図。
【図１３】本発明の変形例を示す分解斜視図。
【発明を実施するための形態】
【００１５】
以下、本発明の一実施形態について図１〜図１２を参照して説明する。
【００１６】
この実施形態は、メモ台３を備えてなる椅子１に本発明にかかる部材回転スライド支持装置１０を適用した場合のものである。すなわち、本発明にかかる部材回転スライド装置１０は、図１〜図１２に示すように、第１の部材である椅子本体２と、この椅子本体２に回転動作可能かつスライド動作可能に支持された第２の部材であるメモ台３と、前記椅子本体２により隠された部位に配設され前記回転動作及びスライド動作の範囲を規定する動作規定機構９とを具備してなる。
【００１７】
この実施形態は、図１２に示すように、本発明を前後方向にスタッキング可能な椅子１、換言すれば水平方向にネスティング可能な椅子１に適用したものであり、椅子本体２と、この椅子本体２に保持機構７を介してメモ台本体８を支持させてなるメモ台３とを具備してなる。本実施形態に係る椅子１は、収納時などに、座板５を座跳ね上げ位置（Ｊ）に保持するとともに、前記メモ台本体８を格納姿勢（Ｃ）に収容することによって同一構造をなす他の椅子１’と前後方向に近接させて少ないスペースで多くの椅子１を収納し得るように構成されているものである。
【００１８】
椅子本体２は、図１〜図１２に示すように、フレーム構造体４に座板５及び背板６を支持させてなるものであり、より詳しくは、座板５を支持する座支持フレーム４６を有したフレーム構造体４を具備してなるものであり、この座支持フレーム４６の軸４６１を介して座板５を座使用位置（Ｕ）と座跳ね上げ位置（Ｊ）との間で回動させ得るようにしたものである。また、この椅子本体２は、メモ台支持フレーム４８を備えており、このメモ台支持フレーム４８に保持機構７を介してメモ台本体８を支持させている。
【００１９】
フレーム構造体４は、図１〜図６、図１１及び図１２に示すように、金属パイプ材を主体に構成されたものである。フレーム構造体４は、下端にキャスタ４１１を有した左右の前脚４１と、下端にキャスタ４２１を有した左右の後脚４２と、これら後脚４２の上端と前脚４１の上端とをそれぞれ繋ぐ左右の側フレーム４３と、これら左右の側フレーム４３の前端近傍部間に架設され両側フレーム４３同士を結合する前フレーム４４と、左右の側フレーム４３の後端近傍部間に架設され両側フレーム４３同士を結合する後フレーム４５と、この後フレーム４５に回転可能に支持させた座支持フレーム４６と、前記後脚４２の上端から上方に延出する左右の背フレーム４７とを備えてなる。前記メモ台支持フレーム４８は、基端部４８０を片側の後脚４２及び側フレーム４３に支持させて設けられている。メモ台支持フレーム４８の先端部４８１側は、前記ネスティングを妨げないように斜め上方に向けて片持ち的に延出させている。本実施形態においては、図１〜図１２に示すように、本発明の第１の部材である椅子本体２のメモ台支持フレーム４８は、筒状をなすフレーム本体４８２とこのフレーム本体４８２に嵌着され軸孔４９１を有したブッシュ４９とを備えたものである。ブッシュ４９は、筒状をなす合成樹脂製のもので、拡径させた先端部４９２をフレーム本体４８２の先端部４８１に一致させて、フレーム本体４８２に対して回転不能に取り付けられている。このブッシュ４９には、当該ブッシュ４９の軸孔４９１に臨むスライド動作用のスリット４９３及び回転動作用のスリット４９４が形成されている。
【００２０】
左右の前脚４１間の距離すなわち幅寸法は、左右の後脚４２間の距離よりも小さく設定されているため、座板５を跳ね上げた状態で同一の構造をなす他の椅子１’とネスティング可能になっている。すなわち、椅子１と、この椅子１の後にある他の椅子１’とを相互に相寄る方向に移動させることにより、まずは、椅子１における左右の後脚４２の内側に他の椅子１’の左右の前脚４１を通過させ、その後更に移動させることにより椅子１における前脚４１の後部と椅子１における前脚４１の前部とが近接した状態で向かい合うように位置させることで、椅子１と他の椅子１’とのネスティングを可能にしている。そして、前記メモ台本体８は、格納姿勢（Ｃ）において前端８１側が後端８２側よりも内側に位置するように支持されているので、ネスティング状態においては、メモ台本体８の外側に他の椅子１’のメモ台本体８の一部が重なり合うようになっている。なお、他の椅子１’の各部分については、椅子１と同じ符号を付して詳しい説明を省略する。
【００２１】
以上のような椅子本体２のメモ台支持フレーム４８に、前記メモ台３が取り付けられている。
【００２２】
メモ台３は、図１〜図１２に示すように、前記メモ台支持フレーム４８に保持機構７を介してメモ台本体８を支持させたものである。
【００２３】
保持機構７は、図１〜図１２に示すように、メモ台本体８の回転動作及びスライド動作を利用して当該メモ台本体８を使用姿勢（Ａ）と格納姿勢（Ｃ）との間で作動させ得るように構成されたものであり、椅子本体２に回転動作可能かつスライド動作可能に支持されたメモ台本体８の回転動作及びスライド動作の範囲を規定する動作規制機構９を備えている。詳述すれば、前記保持機構７は、前記メモ台支持フレーム４８の外周４８３に該メモ台支持フレーム４８の軸心４８４回りに回転可能に、かつ、軸心４８４方向にスライド可能に外装された第１の構造体７１と、この第１の構造体７１に対して前記軸心４８４と直交する第２の軸心７２１回りに回転可能に取り付けられた第２の構造体７２とを備えており、この第２の構造体７２に前記メモ台本体８が取り付けられている。なお、図７は、メモ台本体８及び第２の構造体７２を省略して示している。また、図９は、使用姿勢（Ａ）のメモ台本体８を使用者側から一番遠ざけた状態で、後述する突起９１及び回転動作用のスリット４９４を含むＸ−Ｘ線で切断した断面を示した図であり、図１０は、図９の状態からメモ台本体８を起立姿勢（Ｂ）に跳ね上げた状態を示した図である。
【００２４】
第１の構造体７１は、図１〜図１２に示すように、板金製のベース７１１と、このベース７１１を前記メモ台支持フレーム４８に回転可能かつスライド可能に支持させるためのメモ台保持部材７１０と、このメモ台保持部材７１０に一体的に取り付けられた板金製のブラケット７１２と、このブラケット７１２の内側に配設され前記ベース７１１と前記メモ台保持部材７１０との間の隙間を埋める金属製のスペーサ７１３とを具備してなる。ベース７１１は、平板状をなすもので、複数箇所に雌ねじ穴を備えている。本発明の第２の部材であるメモ台３のメモ台保持部材７１０は、保持部材本体７４と、この保持部材本体７４に設けられ前記ブッシュ４９の軸孔４９１にスライド動作可能かつ回転動作可能に装着される軸部７５とを備えたものである。より具体的には、メモ台保持部材７１０は、有底円筒体状をなす保持部材本体７４と、この保持部材本体７４の底壁７６に固設し先端部７７が保持部材本体７４の開口部よりも突出した軸部７５とを備えたものであり、前記メモ台保持部材７１０の保持部材本体７４がメモ台支持フレーム４８のフレーム本体４８２の外周４８３に嵌合させてある。本実施形態においては、保持部材本体７４は、合成樹脂製のものであり、前記軸部７５は、金属製のものである。軸部７５の先端部７７には、後述する突起９１を取り付けるためのナット７８が設けられている。ブラケット７１２は、前記メモ台保持部材７１０の外周を包持するブラケット本体７１６と、このブラケット本体７１６を前記ベース７１１に取り付けるための取付部７１７とを備えている。ブラケット本体７１６と取付部７１７とは、板金素材を成形することにより一体に作られたもので、前記取付部７１７に貫通させたボルト７１４を前記ベース７１１の雌ねじ穴に螺着することにより、ブラケット７１２をベース７１１に固定している。
【００２５】
第２の構造体７２は、図２、図３、図５、図６及び図８〜図１２に示すように、前記第１の構造体７１に軸着された平板状のもので、この第２の構造体７２の外面にメモ台本体８をビス７２２を用いて取り付けている。メモ台本体８は、使用姿勢（Ａ）から起立姿勢（Ｂ）を経て格納姿勢（Ｃ）に移動させることができるようになっている。すなわち、メモ台本体８の使用姿勢（Ａ）から起立姿勢（Ｂ）への跳ね上げ動作は、メモ台支持フレーム４８に対して第１の構造体７１がメモ台支持フレーム４８の軸心４８４まわりに回動することにより実現される。メモ台本体８の起立姿勢（Ｂ）から格納姿勢（Ｃ）への収納動作は、メモ台本体８を支持する第２の構造体７２が第１の構造体７１に対して第２の軸心７２１まわりに回動することにより実現される。
【００２６】
保持機構７の動作規定機構９は、図４及び図７〜図１１に示すように、前記ブッシュ４９の軸孔４９１に臨むスライド動作用のスリット４９３及び回転動作用のスリット４９４と、このブッシュ４９のスリット４９３、４９４に頭部９２を位置させた状態で前記メモ台保持部材７１０の軸部７５に突設された突起９１とを備えたものである。この動作規定機構９は、前記メモ台支持フレーム４８のフレーム本体４８２により隠されている。本実施形態においては、前記スライド動作用のスリット４９３及び回転動作用のスリット４９４は、両端が開放されていない状態で前記ブッシュ４９の中間領域４９５に形成されたものである。詳述すれば、スライド動作用のスリット４９３は、前記メモ台支持フレーム４８の軸心４８４方向に沿って延びるものである。回転動作用のスリット４９４は、前記スライド動作用のスリット４９３の一端に連続し、ブッシュ４９の外周方向に沿って延びるものである。突起９１は、前記ブッシュ４９に挿入された軸部７５に前記スリット４９３、４９４を通して取り付けられるものである。本実施形態では、この突起９１は、軸部７５に着脱可能な雄ねじであり、一端側を前記軸部７５のナット７８に取り付けるとともに、他端側である頭部９２をブッシュ４９の外面側に臨ませている。
【００２７】
次いでこの椅子１の作動を説明する。
【００２８】
まず、メモ台本体８を使用姿勢（Ａ）に位置させた場合には、動作規定機構９の突起９１がスライド動作用のスリット４９３の下面に係り合い、メモ台本体８のそれ以上の下方への回動が禁止される。すなわち、メモ台本体８は水平な使用姿勢（Ａ）に維持される。この使用姿勢（Ａ）において前記メモ台本体８を最も奥側の位置までスライドさせると、図３の実線及び図９に示すように、動作規定機構９の突起９１が、回転動作用のスリット４９４の一端４９６に位置することになる。そのため、この状態においては、メモ台本体８を持ち上げることよりメモ台本体８を起立姿勢（Ｂ）まで跳ね上げることができる。図５及び図１０に示すように、メモ台本体８を起立姿勢（Ｂ）まで跳ね上げると、動作規定機構９の突起９１が回転動作用のスリット４９４の他端４９７に係り合い、メモ台本体８のそれ以上の回動が禁止される。この起立姿勢（Ｂ）からメモ台本体８を後方に付勢すると、このメモ台本体８が第２の軸心７２１まわりに略１８０度回転し、図６に示すように、格納姿勢（Ｃ）に至る。この格納姿勢（Ｃ）においては、前述したネスティングが可能になる。また、このメモ台本体８を以上の動作と逆の動作をさせることにより、格納姿勢（Ｃ）から起立姿勢（Ｂ）を経て使用姿勢（Ａ）に戻すことができる。
【００２９】
なお、この使用姿勢（Ａ）において、メモ台本体８を後方にスライド移動させると、前記突起９１がスライド動作用のスリット４９３に沿って移動する。そのため、この状態でメモ台本体８に操作力を加えて跳ね上げようとすると、前記突起９１がスライド動作用のスリット４９３の上面側に当接し、その跳ね上げ動作が禁止される。
【００３０】
以上に述べたように、本実施形態にかかる部材回転スライド支持装置１０は、第１の部材であるメモ台支持フレーム４８と、このメモ台支持フレーム４８に回転動作可能かつスライド動作可能に支持された第２の部材であるメモ台保持部材７１０と、前記メモ台支持フレーム４８により隠された部位に配設され前記回転動作及びスライド動作の範囲を規定する動作規定機構９とを具備してなるので、動作規制機構９に手指や衣服を挟んでしまうという不具合の発生を招くことなく、メモ台支持フレーム４８に対してメモ台保持部材７１０をスライド動作させることができる。そのため、使用者の好みや体型に合わせて、メモ台本体８をスライド移動させることができる。
【００３１】
特に、本実施形態においては、この部材回転スライド支持装置１０を使用者によって頻繁に回転動作及びスライド動作が行われるメモ台３の保持部分に適用したので、使用者が上述した不具合を感じることなく、また、動作規定機構９がメモ台支持フレーム４８によって隠されているので、家具としての美観も良好にすることができる。
【００３２】
メモ台支持フレーム４８が筒状をなすフレーム本体４８２とこのフレーム本体４８２に嵌着され軸孔４９１を有したブッシュ４９とを備えたものであり、メモ台保持部材７１０が保持部材本体７４と、この保持部材本体７４に設けられ前記ブッシュ４９の軸孔４９１にスライド動作可能かつ回転動作可能に装着される軸部７５とを備えたものであり、前記動作規定機構９が、前記ブッシュ４９の軸孔４９１に臨むスライド動作用のスリット４９３及び回転動作用のスリット４９４と、このブッシュ４９のスリット４９３、４９４に頭部９２を位置させた状態で前記メモ台保持部材７１０の軸部７５に突設された突起９１とを備えたものであり、この動作規定機構９が前記メモ台支持フレーム４８のフレーム本体４８２により隠されているので、Ｌ字型をなすスリット４９３、４９４に手指や衣服を挟んでしまうという不具合の発生を招くことなく、スライド動作及び回転動作をスムーズに行うことができる。また、フレーム本体４８２によって、上面側、下面側、側面側から突起９１及びスリット４９３、４９４の全体を隠すことができる。
【００３３】
前記メモ台保持部材７１０が有底円筒体状をなす保持部材本体７４と、この保持部材本体７４の底壁７６に固設した軸部７５とを備えたものであり、前記メモ台保持部材７１０の保持部材本体７４がメモ台支持フレーム４８のフレーム本体４８２の外周４８３に嵌合させてあるので、保持部材本体７４にメモ台本体８を取り付けることによって、メモ台本体８を該保持部材本体７４の動きに合わせてスライド動作及び回転動作させることができる。また、底壁７６によって、椅子１の正面側からも動作規定機構９を隠すことができる。
【００３４】
特に、本実施形態においては、メモ台保持部材７１０とメモ台支持フレーム４８との重なりが一番大きくなった状態、すなわち、使用姿勢（Ａ）で使用者側に一番近づけた際に、メモ台保持部材７１０が外側からメモ台支持フレーム４８の先端部４８１を覆うことになるため、メモ台支持フレーム４８の先端部４８１側の突出量を小さくすることができる。すなわち、使用姿勢（Ａ）で使用者側に一番近づけた際には、保持機構７を椅子本体２側に近づけて椅子１全体をコンパクトにすることができる。
【００３５】
前記スライド動作用のスリット４９３は、両端が開放されていない状態で前記ブッシュ４９の中間領域４９５に形成されたものであり、前記突起９１は、前記ブッシュ４９に挿入された軸部７５に前記スリット４９３、４９４を通して取り付けられるものであるので、スライド動作用のスリット４９３の前後端で前後のスライド距離を規定することができる。本実施形態では、突起９１の頭部９２の直径と、スリット４９３、４９４の内法寸法を略同一にしているので、がたつきなくメモ台本体８をスライド移動させたり、回転移動させたりできる。特に、本実施形態のような突起９１であれば、ブッシュ４９に対する軸部７５の抜け止めも防止することができる。
【００３６】
なお、本発明は以上に述べた実施形態に限られない。
【００３７】
本発明の部材回転スライド装置は、椅子に適用されるものに限られず、第１の部材と、この第１の部材に回転動作可能かつスライド動作可能に支持された第２の部材とを備えたものであればどのようなものであってもよい。具体的な一例としては、収納庫の扉の支持装置に適用することが考えられる。また、椅子の場合であっても、メモ台以外の部分に適用してもよいし、メモ台に適用される場合であっても、前記格納姿勢でメモ台本体が収容される２つの軸心まわりでの回転動作を行うものに限られず、起立姿勢でメモ台本体が収容される単一の軸心まわりのみの回転動作を行うものであってもよい。
【００３８】
本発明の変形例としては、図１３に示すものが挙げられる。以下、本実施形態と同様の部分には同じ符号を付して詳しい説明を省略する。この椅子１に適用される部材回転スライド支持装置１０は、前記スライド動作用のスリット４９３が、少なくとも一端が外方に開放された状態で前記ブッシュ４９に形成されたものであり、前記突起９１が、前記軸部７５に取り付けられた状態で前記ブッシュ４９のスライド動作用スリット４９３に挿入されるものである。より具体的には、スライド動作用のスリット４９３の一端が、ブッシュ４９の先端部に開放されているとともに、その他端が回転動作用のスリット４９４に連続している。突起９１は、金属製のピンであり、前記軸部７５に溶着等により固設されている。軸部７５は、ブッシュ４９に挿入された後に、先端部７７に抜け止め用の鍔部９３及びボルト９４が装着され、ブッシュ４９に対する軸部７５の抜け止めを防止することができる。このように、突起は、上述した雄ねじには限られず種々変更可能である。また、突起は、スリットの外周面に貫通していなくてもよい。
【００３９】
また、本発明の動作規定機構は、突起とスリットとを備えたものに限られないのはもちろんである。
【００４０】
さらに、スライド動作用のスリット及び回転動作用のスリットの数や形状は、種々変更可能であり、例えば、スライド動作用のスリットの途中に回転動作用のスリットが設けられたものであってもよい。また、螺旋状に設けられたスリットを設けたものであれば、突起がスリットを動くことによってスライド動作及び回転動作を行うことができる。
【００４１】
スライド移動の方向は、前後方向に限られず、左右方向や斜め方向に移動するものであってもよい。また、回転移動も９０度回転のものには限られない。
【００４２】
その他、本発明の趣旨を損ねない範囲で種々に変更してよい。
【符号の説明】
【００４３】
１０…部材回転スライド支持装置
９…動作規定機構
４８３…外周
４９…ブッシュ
４９１…軸孔
４９３…スライド動作用のスリット
４９４…回転動作用のスリット
７５…軸部
７６…底壁
９１…突起
９２…頭部
【図１】
0005887849.tif 000002
【図２】
0005887849.tif 000003
【図３】
0005887849.tif 000004
【図４】
0005887849.tif 000005
【図５】
0005887849.tif 000006
【図６】
0005887849.tif 000007
【図７】
0005887849.tif 000008
【図８】
0005887849.tif 000009
【図９】
0005887849.tif 000010
【図１０】
0005887849.tif 000011
【図１１】
0005887849.tif 000012
【図１２】
0005887849.tif 000013
【図１３】
0005887849.tif 000014